(57)【要約】      （修正有）【課題】大量の水を必要とせず少量水で排泄の処理、直接型便器内部、据え置き型便器内部の洗浄が可能になり洗浄水、排泄物等を処理収容容器に処理する清潔で節水、水洗仮設トイレを提供する。【解決手段】加圧調整バルブ２、洗浄水放出調整バルブ３、水道水止水バルブ４を閉め、洗浄水圧縮容器Ａに洗浄水供給容器Ｂより洗浄水供給調整バルブ１を開け、少量水を注水し、洗浄水圧縮容器Ａに洗浄水を注水終了後、洗浄水供給調整バルブ１を閉める、加圧機Ｃより加圧調整バルブ２を開け加圧し、排泄後、加圧した洗浄水圧縮容器Ａ内部の洗浄水を洗浄水放水バルブ３にて操作し一挙に開放することにより少量水で機能する節水仮設水洗トイレとした。【選択図】図１
2018071330.tif 000002
【特許請求の範囲】
【請求項１】
災害時、緊急避難所での多人数使用の仮設水洗トイレ、多目的イベントでの多人数使用の仮設水洗トイレにあって、洗浄水圧縮容器Ａを設ける、尚、洗浄水供給容器Ｂに洗浄水供給調整バルブ１を設け洗浄水圧縮容器Ａに連結接続設置する、洗浄水圧縮容器Ａに加圧調整バルブ２を設け、加圧機Ｃを、洗浄水圧縮容器Ａに連結具イにて節読設置する、洗浄水圧縮容器Ａに洗浄水放出調整バルブ３を設け、便器Ｄ，Ｄ−１と洗浄水圧縮容器Ａを連結接続設置したことを特徴とする、直接型（図１）、既存仮設水洗トイレに据え置き型〔図３〕とした節水仮設水洗トイレ。
【請求項２】
前記仮設水洗トイレにあって、加圧調整バルブ２、水道水止水調整バルブ４、洗浄水放出バルブ３を閉める、次に洗浄水供給調整バルブ１を開け、洗浄水供給容器Ｂより洗浄水圧縮容器Ａ内部に少量洗浄水を貯め洗浄水調整バルブ１を閉める、次に加圧調整バルブ２を開け、加圧機Ｃより洗浄水圧縮容器Ａ内部を加圧し加圧調整バルブ２を閉め待機、また、加圧調整バルブ２を開けたままでも使用可能、排せつ後、洗浄水放出バルブ３を操作し、加圧した洗浄水圧縮容器Ａ内部の少量水を、高速で一挙に渦巻状で便器Ｄ、Ｄ−１内部に放水，便器Ｄ、Ｄ−１内部の汚物処理と、洗浄することを特徴とした。使用終了後全調整バルブは閉め次に備える、手動式洗浄水加圧型と、一連の動作を自動的に行なう自動式洗浄水加圧型の、節水仮設水洗トイレ。
【請求項３】
前記仮設水洗トイレにあって、近くに水道管が有り水道水の利用可能な場合、洗浄水圧縮容器Ａに、水道水止水調整バルブ４を設け連結具ロで接続する、洗浄水供給調整バルブ１、加圧調整バルブ２、洗浄水放出調整バルブ３を閉め、水道止水調整バルブ４を開け洗浄水圧縮容器Ａ内部に水道水を少量貯めると共に、水圧で加圧し水道水止水調整バルブ４を閉める、水圧での加圧不足の場合、加圧調整バルブ２を開け加圧機Ｃにて加圧、加圧後、加圧調整バルブ２を閉め待機、排せつ後、洗浄水放出調整バルブ３を開け、洗浄水圧縮容器Ａ内部の少量水を加圧した洗浄水を高速で一挙に渦巻状で直接型便器Ｄ内部、据え置き型便器Ｄ−１内部に放水し、直接型便器Ｄ内部、据え置き型便器Ｄ−１内部の汚物処理と、洗浄することを特徴とする、節水仮設水洗トイレ。
【請求項４】
前記仮設水洗トイレにあって、災害時の避難所での多人数使用の仮設水洗トイレ、多目的イベントでの多人数使用の仮設水洗トイレ、見知らぬ人々と同利用しなければならない、精神的違和感はストレスを過剰なまでに上昇、せめて、便座だけでも自分の物、最低でも家族だけの物を使用する、大、中、小、外、数種類用意して自分の物、家族だけの物と抗菌材使用の清潔で衛生的な便座の開発で解決した。節水仮設水洗トイレ。
【発明の詳細な説明】
【技術分野】
【０００１】  この発明は、異常気象、地殻変動などによる自然災害時の避難所での仮設水洗トイレであって、大量の水を必要とせず、少量水で排泄後、直接型便器Ｄ内部、据え置き型便器，Ｄ−１内部の排泄物の処理、洗浄を行う、特に災害時の避難所での多人数で使用することにより、水不足と不衛生的環境を改善することを目的、達成、出来る。
災害時、避難所の仮設トイレに本発明を使用することにより、少量水で、直接型便器Ｄ内部，据え置き型便器Ｄ−１内部の排泄物の処理、洗浄と快適性、衛生管理を解決したことを提供する。
仮設水洗トイレ図１、図３の洗浄水圧縮容器Ａと洗浄水供給容器Ｂとを連結接続し、加圧機Ｃを連結具イで接続する、尚、洗浄水圧縮容器Ａと直接型便器Ｄおよび据え置き型便器Ｄ−１を連結接続する、調整バルブ全てを閉める、次に加圧調整バルブ２を介し加圧機Ｃ）により洗浄水圧縮容器Ａ内を加圧し，洗浄水放出バルブ３を操作することにより加圧された洗浄水圧縮容器Ａ内部にある少量洗浄水が一挙に高速で便器Ｄ、および便器Ｄ−１へ放出する、直接型便器Ｄ内部、据え置き型便器Ｄ−１内部の排泄物の処理、洗浄を少量水で清潔、衛生的に完了し排泄物等を処理収容容器Ｅへ促すことが出来る。
災害時、避難所の仮設水洗トイレで水道管が利用可能である場所では、洗浄水圧縮容器Ａに水道水止水バルブ４を設けている、連結具ロを介し、水道管と洗浄水圧縮容器Ａを接続し水道水、水圧を利用することにより、更に効率を上げることが出来る。
尚、一般家庭用水洗トイレでも水道水圧利用と本発明。洗浄水圧縮容器Ａ内部を加圧機Ｃにより圧縮し洗浄水を一挙に放出することにより水量を限りなく少量できる。
【背景技術】
【０００２】  既存の、仮設トイレでは水洗トイレでも、足で加圧部を踏み少量水で排泄物等を処理収容容器Ｅ内に処理しようとしている、この方式では人それぞれの加圧能力の違いで、人によっては圧力不足になりがち、特に子供、女性には筋力不足で処理能力が足りず幾度も繰り返しているのが現状、そのため大量の水を必要とする状況である、しかし、排泄物、洗浄水の処理収容容器Ｅの収容能力が少なく大量の水が使えないため完全に処理出来ず不衛生的である、災害時の避難所での多人数使用ともなると悲惨極まりない。
【発明が解決しようとする課題】
【０００３】  災害時、多人数の避難所での公衆衛生的危機、特に、現存仮設トイレでは、排せつ後の、便器内部の排泄物の処理、洗浄と衛生的に多難であり、災害での水不足、処理収容容器Ｅの容量不足などで多量の水は使用できない、これらを解決出来る清潔で衛生的な節水仮設水洗トイレの開発。
一般水洗トイレの排泄物処理、便器内洗浄にも大量の水を必要とする、少量水で確実に能力発揮し清潔、衛生的な節水水洗トイレの開発。
【課題を解決するための手段】
【０００４】  災害時、多人数使用の仮設水洗トイレの排泄物の処理、便器内を清潔で衛生的環境を維持し、不潔、不衛生の現状を解決手段として、洗浄水圧縮容器Ａに少量水を入れこれを加圧し、便器内部へ渦巻状に一挙に加圧された少量洗浄水を開放することにより、清潔で衛生的な少量水で便器内部の排泄物の処理、洗浄の可能な節水仮設水洗トイレの開発。
一般水洗トイレの洗浄水圧縮容器Ａと、水道管連結具ロで接続し少量水と水圧を利用、更に加圧機Ｃにより加圧を加えることにより清潔で衛生的な少量水で便器内部，の排泄物の処理、洗浄を可能にする、一般節水水洗トイレの開発。
【発明の効果】
【０００５】  本発明は災害時、多人数使用の仮設水洗トイレで、不衛生的状況を少量水で快適に利用可能な清潔で衛生的な節水仮設水洗トイレ。
多人数が集合するイベント等の仮設水洗トイレでも前記記載同様の節水仮設水洗トイレを提供する。
【０００６】  本発明の洗浄水圧縮容器Ａ内部を加圧器Ｃで加圧することを特徴とし、洗浄水圧縮容器Ａ内部の圧縮された少量洗浄水を洗浄水放出バルブで操作し一挙に高速、渦巻状で便器内部に放水することにより極めて少量水で、便器Ｄ，Ｄ−１内部の排泄物の処理、洗浄を可能にした、節水仮設水洗トイレ。
【図面の簡単な説明】
【０００７】
【図１】本発明、直接型の一実施を示す側面図。
【図２】図１に図示の、直接型の一実施を示す平面図。
【図３】本発明、現存仮設トイレと組み合わせる、据え置き型の一実施を示す側面図
【図４】図３に図示の、据え置き型の一実施を示す平面図。
【発明を実施するための形態】
【０００８】  本発明は、災害時の仮設水洗トイレの不衛生的な状況を、大量の水を必要とせず、少量水で便器内部の洗浄、排泄物処理する、環境をより良くするために発明した節水仮設水洗トイレである。
【０００９】  以下、本発明の実施の形態を図１〜図４に基づいて説明する。
【００１０】  図において、洗浄水圧縮容器Ａに洗浄水供給調整バルブ１を付け、洗浄水供給容器Ｂを連結接続し、また、洗浄水圧縮容器Ａに加圧調整バルブ２を付け、過圧機Ｃを連結具イを介し接続設置する、また、洗浄水圧縮容器Ａに水道水止水調整バルブ４を付け、連結具ロを介し水道管と接続設置する、尚、洗浄水圧縮容器Ａに洗浄水放出調整バルブ３を付け便器Ｄ，Ｄ−１に連結接続する。
【００１１】  加圧調整バルブ２、洗浄水放出調整バルブ３、水道水止水調整バルブ４を閉める、次に、洗浄水圧縮容器Ａに洗浄水供給調整バルブ１を開け、洗浄水供給容器Ｂより少量水を注水し後、洗浄水供給調整バルブ１を閉める。
【００１２】  加圧調整バルブ２を開け、加圧機Ｃにより、洗浄水を給水した洗浄水圧縮容器Ａ内部を加圧し加圧調整バルブ２を閉める、又、加圧調整バルブ２を開けたままにすることも可能である。
【００１３】  使用終了後、洗浄水放出調整バルブ３を開け、洗浄水圧縮容器Ａ内部で加圧、圧縮された少量水を高速で一気に放出し、便器Ｄ，Ｄ−１内部の排泄物の処理、洗浄を行なう。
【００１４】  処理された排泄物、洗浄水を処理収容容器Ｅへ収め清潔で衛生的な仮設水洗トイレを達成した。
【００１４】  本発明を利用するにあたり、自分の便座、家族全部で使用する便座も同時開発した、衛生的、抗菌材仕上げとすることにより快適な節水仮設水洗トイレを提供する。
【００１５】  以下、上記構成を説明する。洗浄水圧縮容器Ａ内部の洗浄水を加圧機Ｃで加圧することにより洗浄水放出調整バルブ３を操作し加圧、圧縮された洗浄水を高速で一気に放出し便器内部の洗浄、排泄物の処理を一気に行なうことの出来た節水仮設水洗トイレを提供する。
【００１６】  水道の使用が可能な場合には連結具ロを介し水道管と接続し、水道水止水調整バルブ４を開け、適量の水道水を洗浄水圧縮容器Ａ内部に注水すると共に水圧を利用する、
水圧不足の場合、加圧調整バルブ２を開け、加圧機Ｃより圧力を補強し上記構成行動する。
自然災害時の避難所での生活体制、多人数での避難生活、数ある難問題の中、特に排泄処理を、清潔で衛生的な環境を提供する。
【００１６】  また、仮設水洗トイレ自体に直接設ける直接型と、既存製品に据え付ける、据え置き型と多利用可能な清潔で衛生的な節水仮設水洗トイレ。
【００１７】  災害時の避難所での仮設水洗トイレ使用だけでなく。多目的イベントでも多人数使用の仮設水洗トイレとして清潔で衛生的な節水仮設水洗トイレを提供する。
【符号の説明】
【００１８】Ａ        洗浄水圧縮容器
Ｂ        洗浄水供給容器
Ｃ        加圧機
Ｄ        直接型便器
Ｄ−１    据え置き型便器
Ｅ        処理収容容器
１        洗浄水供給調整バルブ
２        加圧調整バルブ
３        洗浄水放水調整バルブ
４        水道水止水調整バルブ
イ        洗浄水圧縮容器Ａと加圧機Ｃとの連結具
ロ        洗浄水圧縮容器Ａと水道管との連結具
【図１】
2018071330.tif 000003
【図２】
2018071330.tif 000004
【図３】
2018071330.tif 000005
【図４】
2018071330.tif 000006